(57)【要約】【課題】円筒形状の機器に取り付けられる機器コネクタまたはコネクタ構造体において、異物による短絡を確実に防ぎつつ低背化を可能とする。【解決手段】複数の雄端子１１と、相手方コネクタが係止するための係止部３と、が設けられて円筒形状の機器の周面に配される機器側コネクタ１０であって、係止部３は複数の雄端子１１とともに機器の外周面上に並んで配されている。【選択図】図１
2018190492.tif 000002
【特許請求の範囲】
【請求項１】
複数の端子と、相手方コネクタが係止するための係止部と、が設けられて円筒形状の機器の周面に配される機器コネクタであって、
前記係止部は前記複数の端子とともに前記機器の外周面上に並んで配されている機器コネクタ。  
【請求項２】
前記係止部は絶縁性の合成樹脂で形成されて、前記複数の端子の間に配されている、請求項１に記載の機器コネクタ。
【請求項３】
前記複数の端子は舌片形状の金属片からなる雄端子であって、その板面が前記機器の径方向に沿って配されている請求項１または請求項２に記載の機器コネクタ。
【請求項４】
複数の雄端子を備えてなる第一コネクタと、複数の雌端子を備えてなり前記第一コネクタと嵌合可能な第二コネクタと、を備えて円筒形状の機器の外周面に取り付けられるコネクタ構造体であって、
前記複数の雄端子および前記複数の雌端子を保持する複数の端子保持構造と、前記第一コネクタと前記第二コネクタとの嵌合状態を維持するための係止構造と、を備え、
前記係止構造は前記複数の端子保持構造のうちの２つの間に配されて、前記複数の端子保持構造とともに前記機器の外周面上に並んで配されているコネクタ構造体。
【発明の詳細な説明】
【技術分野】
【０００１】
本発明は、円筒形状の機器に取り付けられる機器コネクタおよびコネクタ構造体に関する。
【背景技術】
【０００２】
従来、機器（油圧制御）などの機器と、この電子機器に電力や制御信号などを伝えるための電線とを接続し、オートマチックトランスミッション内の潤滑油（ＡＴＦ）中において使用されるコネクタ構造として、例えば特許文献１に記載されたものが示されている。
【０００３】
この技術においては、一方のコネクタハウジング内に前面開口の端子収容室を設け、その最奥部に左半分と右半分とが前後に段違いになった端子保持面を設けることで、この端子保持面から延出して潤滑油中に露出する各端子の基端部を前後に離間させている。これにより、各基端部の間に異物が混入した場合にも、その異物が両基端部に跨って接触することによる短絡の防止を図っている。
【先行技術文献】
【特許文献】
【０００４】
【特許文献１】特開２０１４−１１０９２号公報（第４頁、第１図〜第７図）
【発明の概要】
【発明が解決しようとする課題】
【０００５】
しかしこの技術においては両端子を前後にずらして配置するため、コネクタの前後方向における大寸化が避けられない。しかも相手方コネクタとのロック構造はロック解除操作を考慮してコネクタの最上部に設ける必要があるため、近年における低背化の要請にもかかわらず端子の上方に積層して設けざるを得ない。
【０００６】
本発明は上記のような事情に基づいて完成されたものであって、円筒形状の機器に取り付けられる機器コネクタまたはコネクタ構造体において、異物による短絡を確実に防ぎつつ低背化を可能とすることを目的とする。
【課題を解決するための手段】
【０００７】
本明細書に開示された機器コネクタは、複数の端子と、相手方コネクタが係止するための係止部と、が設けられて円筒形状の機器の周面に配される機器コネクタであって、前記係止部は前記複数の端子とともに前記機器の外周面上に並んで配されている。
【０００８】
この構成によれば、コネクタ同士の係止部は前記複数の端子とともに前記機器の外周面上に並んで配されているから、端子の上方に係止部を積設する場合よりも低背化できる。
【０００９】
前記係止部は絶縁性の合成樹脂で形成されて、前記複数の端子の間に配されていてもよい。
【００１０】
この構成によれば、絶縁性の係止部が端子の間に配されるので、端子間の間隙を有効利用しつつ、より確実に短絡を防止できる。
【００１１】
前記複数の端子は舌片形状の金属板からなる雄端子であって、その板面が前記機器の径方向に沿って配されていてもよい。
【００１２】
この構成によれば、雄端子と相手方コネクタの雌端子との嵌合スペースを機器の周方向に設ければよいので、より一層コネクタを低背化できる。
【００１３】
また、本明細書に開示されたコネクタ構造体は、複数の雄端子を備えてなる第一コネクタと、複数の雌端子を備えてなり前記第一コネクタと嵌合可能な第二コネクタと、を備えて円筒形状の機器の外周面に取り付けられるコネクタ構造体であって、前記複数の雄端子および前記複数の雌端子を保持する複数の端子保持構造と、前記第一コネクタと前記第二コネクタとの嵌合状態を維持するための係止構造と、を備え、前記係止構造は前記複数の端子保持構造のうちの２つの間に配されて、前記複数の端子保持構造とともに前記機器の外周面上に並んで配されている。
【発明の効果】
【００１４】
本明細書に開示された技術によれば、円筒形状の機器に取り付けられる機器コネクタまたはコネクタ構造体において、異物による短絡を確実に防ぎつつ低背化を可能とすることができる。
【図面の簡単な説明】
【００１５】
【図１】実施形態１のコネクタ構造体を示す斜視図
【図２】コネクタ構造体を示す上面図
【図３】機器側コネクタを示す斜視図
【図４】機器側コネクタを示す正面図
【図５】電線側コネクタを示す斜視図
【図６】図２のＡ−Ａ断面図
【図７】コネクタ構造体を示す正面図
【発明を実施するための形態】
【００１６】
＜実施形態１＞
本技術に係る実施形態１を、図１から図７によって説明する。なお以下の説明においては、図示におけるＸ方向を前方、Ｚ方向を上方、Ｒ方向を後述するソレノイドＤの周方向として説明する。また、以下の説明においては、複数の同一部材については一の部材にのみ符号を付し、他の部材の符号を省略することがある。
【００１７】
本実施形態のコネクタ構造体１は、円筒形状のソレノイドＤと、電力や制御信号などを伝えるための電線と、に取り付けられてこれらを接続し、オートマチックトランスミッション内の潤滑油（ＡＴＦ）中において使用されるソレノイドコネクタである。
【００１８】
コネクタ構造体１は、図１に示すように、ソレノイドＤに取り付けられる機器側コネクタ１０（機器コネクタの一例、第一コネクタの一例）と、電線の端末に取り付けられ、機器側コネクタ１０に嵌入して配される電線側コネクタ２０（相手方コネクタの一例、第二コネクタの一例）と、を備え、全体としてソレノイドＤの外周面に沿う扁平な略円弧形状をなしている。なお電線側コネクタ２０が取り付けられる電線は周知のものであり、その取付構造も任意に選択できるため、説明および図示を省略する。
【００１９】
機器側コネクタ１０は絶縁性の合成樹脂から形成され、図３に示すように、略円弧状をなし上下に扁平な前面開口の中空体である。機器側コネクタ１０は、ソレノイドＤの周方向における左右両側にそれぞれ第一端子保持部１７が形成されて各々に雄端子１１（端子の一例）が配設されるとともに、その間に第一係止部１３（係止部の一例）が設けられている。
【００２０】
雄端子１１は金属板から打ち抜き加工等により形成された舌片形状の金属片であって、図４に示すように、各第一端子保持部１７の奥面略中央から前方に延出して設けられている。各雄端子１１はその板面をソレノイドＤの径方向に沿って立てた状態で配され、その両側には雌端子２１の配置空間Ｓが設けられている。
【００２１】
第一係止部１３は絶縁性の合成樹脂から機器側コネクタ１０と一体に形成され、上面が略平坦な天板部１６と、天板部１６と対向して設けられた底面部１９と、電線側コネクタ２０が係止するための係止孔１４と、電線側コネクタ２０の左右への変位を抑制するための一対の突条部１５と、を備えている。係止孔１４は天板部１６の後ろ寄り中央部を貫通して矩形状に形成されている。突条部１５は天板部１６の下面に設けられ、係止孔１４を挟んで天板部１６の前端から後端に亘って突設されている。なお、ソレノイドＤの径方向における第一係止部１３の高さ寸法は、第一端子保持部１７の高さ寸法よりも小さくされている。
【００２２】
電線側コネクタ２０は絶縁性の合成樹脂から形成され、図５に示すように、全体として機器側コネクタ１０の内部空間に対応した上下に扁平な略円弧形状をなしている。電線側コネクタ２０は、ソレノイドＤの周方向における左右両側に第二端子保持部２７が設けられて雌端子２１が配設されるとともに、その間には第二係止部２３が設けられている。
【００２３】
各第二端子保持部２７には、端子係合孔２８が前後に貫通して形成されている。雌端子２１はこの端子係合孔２８内に配されている。なお各雌端子２１は一対の金属片のうち少なくとも１本が弾性変形可能なばね形状とされた周知の構造であるため、図示を省略する。これら２片の金属片は各端子係合孔２８の内部においてソレノイドＤの周方向において左右に並んで（すなわちばね片が左右に弾性変形可能に）配されている。
【００２４】
第二係止部２３は、絶縁性の合成樹脂から電線側コネクタ２０と一体に形成され、係止本体部２６と、溝部２５と、係止突起２４と、を備えている。係止本体部２６は、各第二端子保持部２７よりもソレノイドの径方向における高さ寸法の小さい略平板形状をなしている。溝部２５は、係止本体部２６の上面において前端から後端まで窪んだ形状に形成され、底面が平坦面となっている。係止突起２４は溝部２５の後方寄り中央部に突設され、扁平な略直方体形状をなしている。
【００２５】
以上の構成により、機器側コネクタ１０に設けられた２つの第一端子保持部１７と、その各々に対応して電線側コネクタ２０に設けられた第二端子保持部２７と、から、２組の端子保持構造７が構成される。また、機器側コネクタ１０に設けられた第一係止部１３と、電線側コネクタ２０に設けられた第二係止部２３と、から係止構造３が構成される。コネクタ構造体１は、これら端子保持構造７および係止構造３を備え、かつ、係止構造３が２つの端子保持構造７の間に挟まれてソレノイドＤの外周面上に並んで配されることで構成されている。
【００２６】
電線側コネクタ２０を機器側コネクタ１０に嵌合させる際には、溝部２５を突条部１５に前方から噛み合わせて係止本体部２６の下面を底面部１９に沿わせつつ後方へ進入させ、係止本体部２６を機器側コネクタ１０の係止受入空間内に配置する。すると、各第二端子保持部２７が各第一端子保持部１７内に嵌入し、端子係合孔２８内において各雌端子２１が各雄端子１１を挟持して各雄端子１１に電気的に接続される。また、図６に示すように、電線側コネクタ２０の係止突起２４が弾性復帰して係止孔１４に嵌りこみ、これにより電線側コネクタ２０が機器側コネクタ１０に係止した状態となる。なおこの状態において、係止突起２４はその頂部が機器側コネクタ１０（第一係止部１３）の天板部１６の上面よりも下に配され、これにより第二係止部２３は全体が機器側コネクタ１０の第一係止部１３に収容された状態となる。また、第一係止部１３は２つの雄端子１１とともにソレノイドＤの外周面上に並んで配され、かつ２つの雄端子１１の間に配されている。
【００２７】
上記の構成によれば、機器側コネクタ１０と電線側コネクタ２０との嵌合状態を維持するための第一係止部１３がソレノイドＤの外周面上に各雄端子１１と並んで配されているから、第一端子保持部１７の上に積設された場合よりも機器側コネクタ１０ないしコネクタ構造体１を低背化できる。
【００２８】
また、少なくとも第一係止部１３の左右寸法だけ両雄端子１１が離間されているため、両雄端子１１の間に異物が混入した場合にも、異物が両雄端子１１に跨って接触することによる短絡を防ぐことができる。
【００２９】
また、雄端子１１が板面をソレノイドＤの径方向に沿って立てた状態で配され、この左右（ソレノイドの周方向における両側）に雌端子２１を配置するための配置空間Ｓが設けられるから、雄端子１１が板面をソレノイドＤの周方向に沿わせて配され、これを上下（ソレノイドの径方向における両側）から雌端子２１が挟持する構成とするよりも機器側コネクタ１０ないしコネクタ構造体１を低背化できる。
【００３０】
また、電線側コネクタ２０においては、雌端子２１が設けられた第二端子保持部２７の間に絶縁性の合成樹脂からなる第二係止部２３が配されているから、雌端子２１間を確実に絶縁することができる。さらに、電線側コネクタ２０が機器側コネクタ１０に内嵌した状態においては、雄端子１１のうち第二端子保持部２７の端子係合孔２８に収容された部分も確実に絶縁することができる。
【００３１】
＜他の実施形態＞
本明細書に開示された技術は上記記述及び図面によって説明した実施形態に限定されるものではなく、例えば次のような形態で実施することが可能である。
【００３２】
（１）上記実施形態においては係止構造３がソレノイドＤの周方向において２つの端子保持構造７の間に配されているが、本技術はこれに限らず、例えば係止構造の片側に２つの端子保持構造がソレノイドＤの周方向において並べて配された構成としてもよい。
【００３３】
（２）上記実施形態においては２つの端子保持構造７と１つの係止構造３を設けているが、端子保持構造を３つ以上設けてもよく、また係止構造を２つ以上設けてもよい。また、一つの端子保持構造に雄端子および雌端子からなる端子対を複数配してもよい。
【００３４】
（３）上記実施形態においては機器側コネクタ１０に雄端子１１を設け、電線側コネクタ２０内に雌端子２１を配しているが、これとは逆に、機器側コネクタに雌端子を設け、電線側コネクタに雄端子を設けてもよい。
【００３５】
（４）上記実施形態においては、機器側コネクタ１０ないしコネクタ構造体１は円筒形状の電磁部と電磁部に挿入された円柱状の弁部とを備えた周知のソレノイドＤに取り付けられるが、本技術の機器コネクタないしコネクタ構造体はこれに限らず、任意の円筒形状の機器に取り付けることが可能であり、また任意の円筒形状の機器と一体的に形成してもよい。
【符号の説明】
【００３６】
１：コネクタ構造体
３：係止構造
７：端子保持構造
１０：機器側コネクタ（第一コネクタ）
１１：雄端子
１３：第一係止部（係止部）
１７：第一端子保持部
２０：電線側コネクタ（相手方コネクタ、第二コネクタ）
２１：雌端子
２３：第二係止部（係止部）
２７：第二端子保持部
２８：端子係合孔
Ｄ：ソレノイド
Ｗ：電線
【図１】
2018190492.tif 000003
【図２】
2018190492.tif 000004
【図３】
2018190492.tif 000005
【図４】
2018190492.tif 000006
【図５】
2018190492.tif 000007
【図６】
2018190492.tif 000008
【図７】
2018190492.tif 000009